(57)【要約】  【課題】未だ通信ネットワークが整備されていない地域での利用など、ラオケ演奏装置がスタンドアロン仕様のものであっても、その盗難予防ないしは窃盗行為の抑止ができるカラオケシステムの提供。  【解決手段】演奏音や歌唱音の楽音信号をもって、所定のスピーカシステムから放音させるためのカラオケ演奏装置を具備してなり、スピーカシステムには識別符号を付与し、カラオケ演奏装置には、所定のスピーカシステムの識別符号を予め登録すると共に、スピーカシステムには、その付与された識別符号と登録識別符号との一致・不一致を照会して認証する機能を持たせ、その認証結果に応じて放音するか否かを制御させた。【選択図】図３
2006276552.tif 000002
【特許請求の範囲】
【請求項１】
楽曲の演奏音や歌唱者の歌唱音の楽音信号をもって、これらを所定のスピーカシステムから放音させるためのカラオケ演奏装置を具備したカラオケシステムにおいて、
（ア）前記カラオケ演奏装置は、
スピーカシステムとの間でデータ授受を行うためのデータ送受信部と、
スピーカシステムに楽音信号を転送させるための楽音転送部と、
所定のスピーカシステムの識別符号を予め登録するための識別符号登録部と、
当該登録識別符号を前記スピーカシステムに転送するための識別符号転送部とを有し、
（イ）前記スピーカシステムは、
カラオケ演奏装置との間でデータ授受を行うためのデータ送受信部と、
カラオケ演奏装置より楽音信号を受信して放音させるための放音制御部と、
当該スピーカシステムを識別する識別符号を記憶する識別符号記憶部と、
前記転送された登録識別符号と当該スピーカシステムの識別符号との一致・不一致を照会して認証するための識別符号認証部と、
前記放音制御部が、当該認証結果に応じ、一致の場合には、前記受信した楽音信号を放音するように制御し、不一致の場合には、放音しないように制御する、
ことを特徴とするカラオケシステム。
【請求項２】
前記認証結果が不一致の場合には、時間計測部にて自然時間または稼働時間の時間計測を開始し、前記放音制御部が、予め設定された計測値までは前記楽音信号を放音し、その後は放音しないように制御する、
ことを特徴とする請求項１記載のカラオケシステム。
【請求項３】
前記認証結果が不一致の場合には、回数計測部にて演奏回数の回数計測を開始し、前記放音制御部が、予め設定された計測値までは前記楽音信号を放音し、その後は放音しないように制御する、
ことを特徴とする請求項１記載のカラオケシステム。
【発明の詳細な説明】
【技術分野】
【０００１】
本発明は、楽曲の演奏音や歌唱者の歌唱音の楽音信号をもって、これらを所定のスピーカシステムから放音させるカラオケ演奏装置を備えたカラオケシステムに関する。
【背景技術】
【０００２】
近年、カラオケは老若男女を問わずポピュラーな娯楽として定着し、カラオケボックスやスナック店に数多く設置され、全国的に広がっている。一方、各店舗に設置される一般的なカラオケ演奏装置は、最近の記憶装置の大容量化に伴って、当初から数万曲以上の演奏データや多数のアーティスト本人映像などの背景映像を格納できるようになり、スタンドアロン仕様の装置は基より、通信カラオケ仕様の装置へのデータ追加をせずとも十分な使用条件を満たすため、カラオケ演奏装置が盗まれる事態が発生するようになった。そのため、現在では、盗難予防ないしは窃盗行為の抑止ができるカラオケ演奏装置が望まれている。
【０００３】
そこで、従来、盗難予防機能を有したカラオケ演奏装置も想到されてきた。例えば、特許文献１には、通信カラオケ演奏装置が盗難に遭っても、オフラインでは使用できなくさせる技術が開示されている。具体的には、カラオケ演奏装置がホストコンピュータと通信ネットワークで接続され、定期的に所定のログデータをホストコンピュータに送信するシステムとし、当該ログデータが正しくホストコンピュータに送信されなかった場合、所定数量の計測後に演奏装置自体の使用を不能とするものである。すなわち、盗難による回線切断とメンテナンスなどによる一時的な回線切断を鑑み、所定の短期間に限って使用できるようにし、その後は使用できなくすることで、盗難予防を図るものである。
【０００４】
【特許文献１】特許第３１９６１６６号公報
【発明の開示】
【発明が解決しようとする課題】
【０００５】
しかしながら、上記特許文献１に開示されている盗難予防の手法では、カラオケ演奏装置がホストコンピュータと通信ネットワークと接続されていることが必須条件であることから、未だ通信ネットワークが整備されていない地域では適用できず、また、諸外国においてもカラオケが一般化しつつある現在では、ＡＤＳＬやＩＳＤＮあるいは光通信技術などを利用したネットワーク化が遅れている国々もあり、この手法を適用できないという問題がある。
【０００６】
本発明は上記問題に鑑みなされたもので、すなわち、未だ通信ネットワークが整備されていない地域での利用など、カラオケ演奏装置がスタンドアロン仕様のものであっても、その盗難予防ないしは窃盗行為の抑止ができるカラオケシステムの提供を課題とする。
【課題を解決するための手段】
【０００７】
上記課題を鑑み、本発明者らは、演奏音や歌唱音の楽音信号をもって、所定のスピーカシステムから放音させるためのカラオケ演奏装置を具備してなり、スピーカシステムには識別符号を付与し、カラオケ演奏装置には、所定のスピーカシステムの識別符号を予め登録すると共に、スピーカシステムには、その付与された識別符号と登録識別符号との一致・不一致を照会して認証する機能を持たせ、その認証結果に応じて、受信した楽音信号を放音するか否かを制御するシステム、さらに好ましくは、不一致の場合に、所定の計測を開始して、予め設定された計測値までは放音し、その後は放音しないように制御するシステムを提供することで上記課題を解決できることを見出し、本発明のカラオケシステムを想到した。
【０００８】
すなわち、本発明の請求項１記載のカラオケシステムは、楽曲の演奏音や歌唱者の歌唱音の楽音信号をもって、これらを所定のスピーカシステムから放音させるためのカラオケ演奏装置を具備したカラオケシステムにおいて、
（ア）前記カラオケ演奏装置は、
スピーカシステムとの間でデータ授受を行うためのデータ送受信部と、
スピーカシステムに楽音信号を転送させるための楽音転送部と、
所定のスピーカシステムの識別符号を予め登録するための識別符号登録部と、
当該登録識別符号を前記スピーカシステムに転送するための識別符号転送部とを有し、
（イ）前記スピーカシステムは、
カラオケ演奏装置との間でデータ授受を行うためのデータ送受信部と、
カラオケ演奏装置より楽音信号を受信して放音させるための放音制御部と、
当該スピーカシステムを識別する識別符号を記憶する識別符号記憶部と、
前記転送された登録識別符号と当該スピーカシステムの識別符号との一致・不一致を照会して認証するための識別符号認証部と、
前記放音制御部が、当該認証結果に応じ、一致の場合には、前記受信した楽音信号を放音するように制御し、不一致の場合には、放音しないように制御する、
ことを特徴とする。
【０００９】
また、本発明の請求項２記載のカラオケシステムは、請求項１記載のカラオケシステムにおいて、前記認証結果が不一致の場合には、時間計測部にて自然時間または稼働時間の時間計測を開始し、前記放音制御部が、予め設定された計測値までは前記楽音信号を放音し、その後は放音しないように制御することを特徴とする。
【００１０】
さらに、本発明の請求項３記載のカラオケシステムは、請求項１記載のカラオケシステムにおいて、前記認証結果が不一致の場合には、回数計測部にて演奏回数の回数計測を開始し、前記放音制御部が、予め設定された計測値までは前記楽音信号を放音し、その後は放音しないように制御することを特徴とする。
【発明の効果】
【００１１】
本発明の請求項１記載のカラオケシステムによれば、スピーカシステムの識別符号と、予め登録された識別符号との一致・不一致を照会して認証を行い、識別符号が一致した場合には楽音信号を放音して通常の使用ができるが、不一致の場合には放音しないため通常の使用ができない。これにより、盗難を意図する場合、カラオケ演奏装置と一緒にスピーカシステムをも盗まなければならず、さらに、最近のスピーカシステムの大型化や壁や天井への固定化も相まって、盗難が困難となり、カラオケ演奏装置がスタンドアロン仕様のものであっても、その盗難予防ないしは窃盗行為の抑止ができるといった効果を奏する。
【００１２】
また、本発明の請求項２記載のカラオケシステムによれば、認証結果が不一致の場合には、自然時間または稼働時間の時間計測を開始し、予め設定された計測値までは楽音信号を放音し、その後は放音しないように制御することから、盗難カラオケ演奏装置との接続ではなく、正規のメンテナンスや故障の際、代替カラオケ演奏装置の接続時からの非放音制御まで、ある程度のタイムラグが設定できるため、一定期間は通常使用に支障をきたさないという効果を奏する。
【００１３】
さらに、本発明の請求項３記載のカラオケシステムによれば、認証結果が不一致の場合には、回数計測部にて演奏回数の回数計測を開始し、予め設定された計測値までは楽音信号を放音し、その後は放音しないように制御することから、請求項２の発明と同様な効果を奏する。
【発明を実施するための最良の形態】
【００１４】
以下、本発明のカラオケシステムにつき、好適な実施例を挙げて説明するが、先ず、図１に示す、本発明のカラオケシステムに係わる主要構成図と、図２に示す、本発明に係わるカラオケ演奏装置の構成図と、図３に示す、本発明の一実施例に係わるブロック構成図と、図４に示す、本発明の一実施例に係わるフロー図に基づき、本発明の請求項１記載のカラオケシステムについて詳述する。
【実施例１】
【００１５】
図１に示すように、本発明のカラオケシステム（１）は、基本的には従来のカラオケシステムとほぼ構成要素を同じくする。具体的には、楽曲の演奏音やカラオケマイク（Ｍ）からの歌唱音を放音させるスピーカシステム（Ｓ）と、当該楽曲演奏に応じた歌詞・背景映像を表示させる液晶やプラズマなどのディスプレイ（Ｄ）と、これらの演奏音や歌唱音および歌詞・背景映像を供給するカラオケ演奏装置（Ｐ）などから構成されている。
【００１６】
ここで、図２に基づき、本発明に係わるカラオケ演奏装置について説明する。本実施例において、カラオケ演奏装置（Ｐ）は従来の通信カラオケシステムの演奏端末と殆ど同じ構成であり、その動作も基本的に同様である。すなわち、内部にＣＰＵ、ＲＡＭ、ＲＯＭなどを含む中央制御部（３３）は、モデム（ＭＤ）を介して電話回線と適時に接続することで、カラオケホスト装置（図示省略）から配信されたカラオケデータを受け取る。そして、受け取ったカラオケデータをハードディスク装置（３７）に格納する構成を有する。
【００１７】
演奏データ（３８）はハードディスク装置（３７）に蓄積され、カラオケ楽曲の伴奏音楽を生成するため、ＭＩＤＩ規格などによって符号化された音源制御情報からなる。中央制御部（３３）は、操作パネル（３０）から直接、あるいは、リモコン装置（Ｒ）からリモコン受信部（３１）を経由して、操作制御部（３２）を介して選曲情報を受け取ると、カラオケ楽曲のリクエストであるとしてシーケンサ（図示省略）に伝達する。このシーケンサは、主に楽曲シーケンサ、歌詞シーケンサおよび文字パターン作成手段からなり、楽曲ＩＤコードで識別される演奏データ（３８）を、ハードディスク装置（３７）から読み出す。次に、音源（３６）は、中央制御部（３３）が実行するシーケンサの処理によって入力された楽曲ＩＤに対応した演奏データに応じて演奏信号を形成する。
【００１８】
形成された演奏信号はデジタルミキサ（３５）に入力され、このデジタルミキサ（３５）は音源（３６）が発生した演奏信号とＡ／Ｄコンバータ（３４）を介して入力されたマイク（Ｍ）からの歌唱信号を適当なバランスでミキシングする。そして、ミキシングされたデジタル楽音信号は楽音転送部（１２）に入力される。この楽音転送部（１２）は、Ｄ／Ａコンバータおよびパワーアンプを備えており、入力されたデジタル信号をアナログ信号に変換して増幅し、データ送受信部（１１）を介してスピーカシステム（Ｓ）の放音制御部に送って放音させる。なお、本実施例では楽音信号を、データ送受信部を介してスピーカシステムに送るように構成しているが、本発明はこれに限らず、後述する識別符号転送部からの登録識別符号データのみをデータ送受信部を介して転送し、楽音信号はデータ送受信部を介さずに、直接、放音制御部に送るように構成しても構わない。
【００１９】
さらに、ハードディスク装置（３７）には、楽曲データベース（ＤＢ）が管理する演奏データ（３８）の他、識別符号登録部（１３）には、登録識別符号データ（１３ａ）も蓄積されている。この登録識別符号データ（１３）は、当該カラオケ演奏装置（Ｐ）に対応して使用可能なスピーカシステムを、その付与された識別符号にて特定し、これを所定のテーブル（図示省略）にて予め登録するもので、識別符号転送部（１４）は、当該カラオケ演奏装置（Ｐ）とスピーカシステム（Ｓ）が接続されると、識別符号認証部（図５参照）の確認と指示により、あるいは、識別符号転送部（１４）自らの接続確認により自発的に、この登録識別符号データ（１３）をデータ送受信部（１１）を介して全てスピーカシステム（Ｓ）に転送する。なお、この登録識別符号は、通常、ステレオの左右１対のスピーカセット（ツィータ、スコーカ、ウーハなどからなる）を主体とするスピーカシステムに付与された識別符号の１つを登録するが、複数のスピーカシステムの識別符号を登録しても構わない。また、勿論、モノラルのスピーカシステムでは左右１対でなくても構わない。
【００２０】
次に、図３に基づき、本発明の一実施例に係わる各構成要件について説明する。本実施例のカラオケシステム（１ａ）は、先ず、カラオケ演奏装置（Ｐ）側には、スピーカシステム（Ｓ）との間でデータ授受を行うためのデータ送受信部（１１）と、任意の楽曲の演奏音や歌唱者の歌唱音の楽音信号をスピーカシステム（Ｓ）に送出するための楽音転送部（１２）と、所定のスピーカシステムの識別符号を予め登録するための識別符号登録部（１３）と、当該登録識別符号（１３）を接続されたスピーカシステム（Ｓ）に転送するための識別符号転送部（１４）などが設けられている。
【００２１】
一方、スピーカシステム（Ｓ）側には、カラオケ演奏装置（Ｐ）との間でデータ授受を行うためのデータ送受信部（２１）と、カラオケ演奏装置（Ｐ）より楽音信号を受信して放音させるための放音制御部（２２）と、当該スピーカシステム（Ｓ）を識別する識別符号を記憶する識別符号記憶部（２３）と、転送された登録識別符号と当該スピーカシステム（Ｓ）の識別符号との一致・不一致を照会して認証するための識別符号認証部（２４）などが設けられている。この識別符号認証部（２４）は、識別符号同士を照合するためのテーブル（図示省略）や一時記憶メモリ（図示省略）などを備え、当該テーブルを参照して、スピーカシステム（Ｓ）自らがカラオケ演奏装置（Ｐ）に登録されたものであるか否かの認証を行うと共に、その認証結果に基づき、放音制御部（２２）に対し、所定の制御信号を発するもので、そのための回路基板やプログラムを具備する。
【００２２】
そして、識別符号認証部（２４）による認証結果に応じ、一致の場合には、放音制御部（２２）は放音するように制御し、不一致の場合には、放音しないように制御する。この放音制御とは、具体的には、回路接続のハードウエア的な切断／接続制御や信号伝達プログラムのソフトウエア的なＯＮ／ＯＦＦ制御であり、スピーカからの放音を可能としたり不可能としたりする。
【００２３】
ここで、本実施例のカラオケシステムの動作手順につき、図４に示すフロー図に基づき説明する。先ず、電源が入った状態のカラオケ演奏装置とスピーカシステムとが接続されると、スピーカシステムの識別符号認証部は、この接続を確認し（Ｓ１）、カラオケ演奏装置へその登録識別符号の転送を要求する（Ｓ２）。すると、カラオケ演奏装置の識別符号転送部をもって、識別符号登録部から登録識別符号が転送される（Ｓ３）。登録識別符号が転送されると、これに基づき、識別符号認証部は当該スピーカシステムの識別符号記憶部に記憶された識別符号との一致・不一致を照会して認証を行う（Ｓ４）。
【００２４】
そして、この認証結果に基づき、識別符号が一致の場合、識別符号認証部は放音制御部に対して放音信号を送出し（Ｓ５）、この放音信号に基づき、放音制御部は放音するように制御する（Ｓ６）。すなわち、識別符号認証部は自らのスピーカシステムが正規のものであると判断し、当該カラオケ演奏装置は通常のカラオケ機能で使用される。反面、識別符号が不一致の場合、識別符号認証部は放音制御部に対して非放音信号を送出し（Ｓ７）、この非放音信号に基づき、放音制御部は放音しないように制御する（Ｓ８）。すなわち、識別符号認証部は自らのスピーカシステムが正規のものでないと判断し、当該カラオケ演奏装置は、正規のスピーカシステムと接続しない限り、通常の使用ができなくなる。
【００２５】
以下、図５に示す、本発明の別の実施例に係わるブロック構成図と、図６に示す、本発明の別の実施例に係わるフロー図に基づき、本発明の請求項２および請求項３記載のカラオケシステムについて詳述する。
【実施例２】
【００２６】
先ず、図５に基づき、本発明の別の実施例に係わる各構成要件について説明する。本実施例のカラオケシステム（１ｂ）は、上記実施例１と同様に、カラオケ演奏装置（Ｐ）側には、スピーカシステム（Ｓ）との間でデータ授受を行うためのデータ送受信部（１１）と、演奏データベースから、任意の演奏楽曲の楽音信号をスピーカシステム（Ｓ）に送出するための楽音転送部（１２）と、所定のスピーカシステムの識別符号を予め登録するための識別符号登録部（１３）と、当該登録識別符号（１３）を接続されたスピーカシステム（Ｓ）に転送するための識別符号転送部（１４）などが設けられている。
【００２７】
一方、スピーカシステム（Ｓ）側には、上記実施例１と同様に、カラオケ演奏装置（Ｐ）との間でデータ授受を行うためのデータ送受信部（２１）と、カラオケ演奏装置（Ｐ）より楽音信号を受信して放音させるための放音制御部（２２）と、当該スピーカシステム（Ｓ）を識別する識別符号を記憶する識別符号記憶部（２３）と、転送された登録識別符号と当該スピーカシステム（Ｓ）の識別符号との一致・不一致を照会して認証するための識別符号認証部（２４）と、さらに、時間計測あるいは回数計測を行うための計測部（２５）などが設けられている。
【００２８】
この計測部（２５）とは、タイマ機能あるいはカウンタ機能を有するものであり、具体的には、通常の時計時間に基づく自然時間やカラオケ演奏装置との接続時間に基づく稼働時間を計測したり、あるいは、１曲分の楽音信号がカラオケ演奏装置から送出される毎、それぞれを個々の演奏と見なし、その演奏回数を計測するもので、識別符号認証部（２４）による不一致の判定時点をトリガとして計測を開始する。さらに、この計測部（２５）は、放音制御部（２２）に対し、条件付表示を行うように制御する。すなわち、予め設定された計測値までは放音し、計測値が設定値に達すると放音しないように制御し、そのための回路基板やプログラムを具備する。
【００２９】
ここで、本実施例のカラオケシステムの動作手順につき、図６に示すフロー図に基づき説明する。上記実施例１と同様に、先ず、電源が入った状態のカラオケ演奏装置とスピーカシステムとが接続されると、スピーカシステムの識別符号認証部は、この接続を確認し（Ｓ１）、カラオケ演奏装置へその登録識別符号の転送を要求する（Ｓ２）。すると、カラオケ演奏装置の識別符号転送部をもって、識別符号登録部から登録識別符号が転送される（Ｓ３）。登録識別符号が転送されると、これに基づき、識別符号認証部は当該スピーカシステムの識別符号記憶部に記憶された識別符号との一致・不一致を照会して認証を行う（Ｓ４）。
【００３０】
そして、この認証結果に基づき、識別符号が一致の場合、識別符号認証部は、計測部に対して一致信号を送出する（Ｓ９）。一致信号を受けた計測部は、放音制御部に対して放音信号を送出する（Ｓ１０）。この放音信号に基づき、放音制御部は放音するように制御する（Ｓ１１）と共に、計測部が計測を継続している場合は、計測は中止され初期化が行われる（Ｓ１２）。反面、識別符号が不一致の場合、識別符号認証部は計測部に対して不一致信号を送出する（Ｓ１３）。不一致信号を受けた計測部は、直ぐには放音制御部に対して非放音信号を送出せずに放音信号を送出し（Ｓ１４）、この放音信号に基づき、放音制御部は放音するように制御する（Ｓ１５）。
【００３１】
また、同時に、計測部が計測を開始する（Ｓ１６）。計測が開始されると、予め設定した計測値と現計測値が比較されるようになり、設定計測値に到達するまで、通常使用通り、計測部は放音制御部に対しては放音信号を送出し、楽音信号を放音させる（Ｓ１４〜Ｓ１６）。そして、設定計測値に到達すると、計測部は、放音制御部に対して非放音信号を送出する（Ｓ１８）。この非放音信号に基づき、放音制御部は放音しないように制御する（Ｓ１９）。すなわち、ある程度のタイムラグはあるものの、識別符号認証部は自らのスピーカシステムが正規のものでないと判断し、当該カラオケ演奏装置は、正規のスピーカシステムと接続しない限り、通常の使用ができなくなる。
【産業上の利用可能性】
【００３２】
以上、詳述したように、本発明のカラオケシステムによれば、登録された正規のスピーカシステムにおいてのみ楽音信号が放音されることから、最近のスピーカシステムの大型化や固定化の傾向からも相まって、カラオケ演奏装置と共にスピーカシステムも窃盗しなけらばならず、盗難抑止効果を発揮できる。また、当該カラオケ演奏装置が通信ネットワークに接続されておらず、スタンドアロン仕様で稼働するものであっても同様な効果を発揮できる。
【図面の簡単な説明】
【００３３】
【図１】本発明のカラオケシステムに係わる主要構成図。
【図２】本発明に係わるカラオケ演奏装置の構成図。
【図３】本発明の一実施例に係わるブロック構成図。
【図４】本発明の一実施例に係わるフロー図。
【図５】本発明の別の実施例に係わるブロック構成図。
【図６】本発明の別の実施例に係わるフロー図。
【符号の説明】
【００３４】
１，１ａ、１ｂ  カラオケシステム
１１，２１  データ送受信部
１２  楽音転送部
１３  識別符号登録部
１３ａ  登録識別符号データ
１４  識別符号転送部
２２  放音制御部
２３  識別符号記憶部
２４  識別符号認証部
２５  計測部
３３  中央制御部
３７  ハードディスク装置
３８  演奏データ
Ｓ  スピーカシステム
Ｐ  カラオケ演奏装置
【図１】
2006276552.tif 000003
【図２】
2006276552.tif 000004
【図３】
2006276552.tif 000005
【図４】
2006276552.tif 000006
【図５】
2006276552.tif 000007
【図６】
2006276552.tif 000008